(57)【特許請求の範囲】
【請求項１】
塗工部と乾燥部を有する塗工装置において湿潤膜厚を測定する湿潤膜厚制御方法であって、
塗工前の基材に加わる張力を測定する張力測定過程と、
前記基材の厚さを測定する厚さ測定過程と、
塗工後の前記基材を走行方向に沿って所定幅で切断分離し全面塗工済の測定用サンプルを得る切断過程と、
前記測定用サンプルを巻き取って巻取体を形成する巻取過程と、
前記巻取体における前記測定用サンプルの全長を測定する全長測定過程と、
前記巻取体における前記測定用サンプルの基材部分と塗工部分から成る全質量を測定する全質量測定過程と、
前記張力と前記測定厚さから前記基材の真の厚さを（真厚さ）＝（測定厚さ）×（１＋（係数）×（張力））の数式を適用して演算する真厚さ演算過程と、
前記巻取体における前記測定用サンプルの湿潤膜厚を（湿潤膜厚）＝（（全質量）−（基材密度）×（真厚さ）×（所定幅）×（全長））／（（塗工液密度）×（所定幅）×（全長））の数式を適用して演算する湿潤膜厚演算過程と、
前記演算した湿潤膜厚が適合膜厚の範囲内であるか範囲外であるかを判定する膜厚適合判定過程と、
前記判定が範囲外であるときには前記塗工部の塗工条件を操作する操作過程と、
を有することを特徴とする湿潤膜厚制御方法
【請求項２】
塗工部と乾燥部を有する塗工装置において湿潤膜厚を測定する湿潤膜厚制御装置であって、
塗工前の基材に加わる張力を測定する張力測定手段と、
前記基材の厚さを測定する厚さ測定手段と、
塗工後の前記基材を走行方向に沿って所定幅で切断分離し全面塗工済の測定用サンプルを得る切断手段と、
前記測定用サンプルを巻き取って巻取体を形成する巻取手段と、
前記巻取体における前記測定用サンプルの全長を測定する全長測定手段と、
前記巻取体における前記測定用サンプルの基材部分と塗工部分から成る全質量を測定する全質量測定手段と、
前記張力と前記測定厚さから前記基材の真の厚さを（真厚さ）＝（測定厚さ）×（１−（係数）×（張力））の数式を適用して演算する真厚さ演算手段と、
前記巻取体における前記測定用サンプルの湿潤膜厚を（湿潤膜厚）＝（（全質量）−（基材密度）×（真厚さ）×（所定幅）×（全長））／（（塗工液密度）×（所定幅）×（全長））の数式を適用して演算する湿潤膜厚演算手段と、
前記演算した湿潤膜厚が適合膜厚の範囲内であるか範囲外であるかを判定する膜厚適合判定手段と、
前記判定が範囲外であるときには前記塗工部の塗工条件を操作する操作手段と、
を有することを特徴とする湿潤膜厚制御装置。
【発明の詳細な説明】
【技術分野】
【０００１】
本発明は塗工方法・装置およびそれよって得られた塗工膜の厚さを制御する技術分野に属する。特に、塗工装置上において乾燥環境等による外乱を受けずに塗工膜の湿潤膜厚を測定するとともに、その湿潤膜厚が適正範囲となるように制御することが可能な湿潤膜厚制御方法と装置に関する。
【背景技術】
【０００２】
ウェブの基材を塗工対象とする塗工装置において塗工により得られた基材上の膜厚を測定する方法の１つとして、光学的な方法が周知である。たとえば、塗工膜に一定の入射角で白色光を照射し、その反射光もしくは透過光を分光して分光強度の波形を測定し、薄膜による干渉現象によって生ずる分光強度の強弱の波長位置から膜厚を測定する方法が知られている（特許文献１）。
【特許文献１】特開昭６１−２４６６０７
【０００３】
しかしながら、この従来の方法においては、塗工装置の乾燥部において気体屈折率の変動（温度、気圧による密度変化、ガス濃度、等）により誤差が発生するという問題がある。気体屈折率の変動を補正することは可能ではあるが、塗工条件や測定条件ごとに補正値を設定することは運用負担が大きい。また、走行するウェブの基材において振動や皺の発生は避けられないが、振動や皺の状況によっては大きな誤差が発生する。その発生時期は予測できず誤差値も捕捉できないため補正は不可能であり、測定値の信頼性が得られないという問題がある。したがって、この方法により得られた膜厚に基づいて湿潤膜厚を制御することは極めて困難か、または不可能であるという問題があった。
【発明の開示】
【発明が解決しようとする課題】
【０００４】
本発明は上記の問題を解決するために成されたものである。その目的は、塗工装置上において乾燥環境等による外乱を受けずに塗工膜の湿潤膜厚を測定するとともに、その湿潤膜厚が適正範囲となるように制御することが可能な湿潤膜厚制御方法と装置を提供することにある。
【課題を解決するための手段】
【０００５】
本発明の請求項１に係る湿潤膜厚制御方法は、塗工部と乾燥部を有する塗工装置において湿潤膜厚を測定する湿潤膜厚制御方法であって、  塗工前の基材に加わる張力を測定する張力測定過程と、  前記基材の厚さを測定する厚さ測定過程と、  塗工後の前記基材を走行方向に沿って所定幅で切断分離し全面塗工済の測定用サンプルを得る切断過程と、  前記測定用サンプルを巻き取って巻取体を形成する巻取過程と、  前記巻取体における前記測定用サンプルの全長を測定する全長測定過程と、  前記巻取体における前記測定用サンプルの基材部分と塗工部分から成る全質量を測定する全質量測定過程と、  前記張力と前記測定厚さから前記基材の真の厚さを（真厚さ）＝（測定厚さ）×（１＋（係数）×（張力））の数式を適用して演算する真厚さ演算過程と、  前記巻取体における前記測定用サンプルの湿潤膜厚を（湿潤膜厚）＝（（全質量）−（基材密度）×（真厚さ）×（所定幅）×（全長））／（（塗工液密度）×（所定幅）×（全長））の数式を適用して演算する湿潤膜厚演算過程と、  前記演算した湿潤膜厚が適合膜厚の範囲内であるか範囲外であるかを判定する膜厚適合判定過程と、  前記判定が範囲外であるときには前記塗工部の塗工条件を操作する操作過程と、  を有するようにしたものである。
また、本発明の請求項２に係る湿潤膜厚制御装置は、塗工部と乾燥部を有する塗工装置において湿潤膜厚を測定する湿潤膜厚制御装置であって、  塗工前の基材に加わる張力を測定する張力測定手段と、  前記基材の厚さを測定する厚さ測定手段と、  塗工後の前記基材を走行方向に沿って所定幅で切断分離し全面塗工済の測定用サンプルを得る切断手段と、  前記測定用サンプルを巻き取って巻取体を形成する巻取手段と、  前記巻取体における前記測定用サンプルの全長を測定する全長測定手段と、  前記巻取体における前記測定用サンプルの基材部分と塗工部分から成る全質量を測定する全質量測定手段と、  前記張力と前記測定厚さから前記基材の真の厚さを（真厚さ）＝（測定厚さ）×（１＋（係数）×（張力））の数式を適用して演算する真厚さ演算手段と、  前記巻取体における前記測定用サンプルの湿潤膜厚を（湿潤膜厚）＝（（全質量）−（基材密度）×（真厚さ）×（所定幅）×（全長））／（（塗工液密度）×（所定幅）×（全長））の数式を適用して演算する湿潤膜厚演算手段と、  前記演算した湿潤膜厚が適合膜厚の範囲内であるか範囲外であるかを判定する膜厚適合判定手段と、  前記判定が範囲外であるときには前記塗工部の塗工条件を操作する操作手段と、  を有するようにしたものである。
【発明の効果】
【０００６】
本発明の請求項１に係る湿潤膜厚制御方法によれば、塗工部と乾燥部を有する塗工装置において湿潤膜厚を測定する湿潤膜厚制御方法であって、  張力測定過程において塗工前の基材に加わる張力が測定され、  厚さ測定過程において前記基材の厚さが測定され、  切断過程において塗工後の前記基材が走行方向に沿って所定幅で切断分離され全面塗工済の測定用サンプルが得られ、  巻取過程において前記測定用サンプルが巻き取られて巻取体が形成され、  全長測定過程において前記巻取体における前記測定用サンプルの全長が測定され、  全質量測定過程において前記巻取体における前記測定用サンプルの基材部分と塗工部分から成る全質量が測定され、真厚さ演算過程において前記張力と前記測定厚さから前記基材の真の厚さが（真厚さ）＝（測定厚さ）×（１＋（係数）×（張力））の数式が適用されて演算され、  湿潤膜厚演算過程において前記巻取体における前記測定用サンプルの湿潤膜厚が（湿潤膜厚）＝（（全質量）−（基材密度）×（真厚さ）×（所定幅）×（全長））／（（塗工液密度）×（所定幅）×（全長））の数式を適用して演算され、  膜厚適合判定過程において前記演算した湿潤膜厚が適合膜厚の範囲内であるか範囲外であるかが判定され、  操作過程において前記判定が範囲外であるときには前記塗工部の塗工条件が操作される。すなわち、寸法測定と質量測定から演算して湿潤膜厚を得る間接的な測定方法であって非光学的な測定方法である。したがって、塗工装置上において乾燥環境等による外乱を受けずに塗工膜の湿潤膜厚を測定するとともに、その湿潤膜厚が適正範囲となるように制御することが可能な湿潤膜厚制御方法が提供される。
また、本発明の請求項２に係る湿潤膜厚制御装置によれば、塗工部と乾燥部を有する塗工装置において湿潤膜厚を測定する湿潤膜厚制御装置であって、  張力測定手段により塗工前の基材に加わる張力が測定され、  厚さ測定手段により前記基材の厚さが測定され、  切断手段により塗工後の前記基材が走行方向に沿って所定幅で切断分離され全面塗工済の測定用サンプルが得られ、  巻取手段により前記測定用サンプルを巻き取って巻取体が形成され、  全長測定手段により前記巻取体における前記測定用サンプルの全長が測定され、  全質量測定手段により前記巻取体における前記測定用サンプルの基材部分と塗工部分から成る全質量が測定され、真厚さ演算手段により前記張力と前記測定厚さから前記基材の真の厚さが（真厚さ）＝（測定厚さ）×（１＋（係数）×（張力））の数式が適用されて演算され、  湿潤膜厚演算手段により前記巻取体における前記測定用サンプルの湿潤膜厚が（湿潤膜厚）＝（（全質量）−（基材密度）×（真厚さ）×（所定幅）×（全長））／（（塗工液密度）×（所定幅）×（全長））の数式を適用して演算され、  膜厚適合判定手段により前記演算した湿潤膜厚が適合膜厚の範囲内であるか範囲外であるかが判定され、  操作手段により前記判定が範囲外であるときには前記塗工部の塗工条件が操作される。すなわち、寸法測定と質量測定から演算して湿潤膜厚を得る間接的な測定方法であって非光学的な測定方法である。したがって、塗工装置上において乾燥環境等による外乱を受けずに塗工膜の湿潤膜厚を測定するとともに、その湿潤膜厚が適正範囲となるように制御することが可能な湿潤膜厚制御装置が提供される。
【発明を実施するための最良の形態】
【０００７】
次に、本発明の実施の形態について図を参照しながら説明する。本発明の湿潤膜厚制御装置を適用した塗工装置の一例を図１に示す。図１において、２００は基材、１２０は塗工部、１３１は第１乾燥部、１３２は第２乾燥部、１３３は第３乾燥部、１４０は巻取部、１０は張力・厚さ測定部、２０は巻取部、３０は演算部である。
塗工装置において、基材（ウェブ）２００は巻き取られた形態である巻取体として給紙部（図示せず）に装着される。給紙部には張力を付与する機構（図示せず）が備えられており、巻き解かれ送給される基材２００には適正な張力が付与される。給紙部において巻取体から巻き解かれた基材２００は塗工部１２０に送給され、そこで基材２００に対して塗工が行なわれる。基材２００は第１乾燥部１３１、第２乾燥部１３２、第３乾燥部１３３の順に送給され、そこを通過する間に基材２００の表面の塗工液は乾燥する。そして乾燥した塗膜が形成された基材２００は巻取部１４０において巻き取られ巻取体を形成する。
【０００８】
この図１における張力・厚さ測定部１０、巻取部２０、演算部３０は、この塗工装置に適用した本発明の湿潤膜厚制御装置の構成要素である。
張力・厚さ測定部１０は、塗工部１２０に送給される直前において基材２００の張力と厚さを測定する。ここでは測定された厚さを測定厚さと呼ぶ。
巻取部２０は、第１乾燥部１３１の出口近くにおいて基材２００から切断され分離された湿潤膜厚測定のためのサンプルを巻き取って巻取体を形成する部分である。この巻取部２０においてサンプルの全質量の測定が行なわれる。
演算部３０は、測定された基材２００の張力と厚さ（測定厚さ）に基づいて基材２００の真の厚さを演算する。また、演算部３０は、その真の厚さ、全質量、その他のデータに基づいて湿潤膜厚を演算する。また、演算部３０は、サンプル巻取体２１の質量を測定するときに行なわれる巻取部２０の制御を行なう。また、演算部３０は、演算した湿潤膜厚が適合膜厚の範囲内であるか範囲外であるかを判定する。また、演算部３０は、その判定が範囲外であるときには塗工部の塗工条件を操作する。それらの演算の詳細は後述する。
【０００９】
本発明の湿潤膜厚制御装置の張力・厚さ測定部１０について詳細を図２に示す。図２において、３００は塗工液、１２１は塗工液槽、１２２は塗工ローラ、１２３はバックアップローラ、１１ａ，１１ｂは張力測定部、１２は厚さ測定部である。また、図２において、図１と同一部分には同一符号が付してある。
塗工液槽１２１、塗工ローラ１２２、バックアップローラ１２３は塗工部１２０の構成要素である。塗工液槽１２１は塗工液３００を充たしており、塗工ローラ１２２の下部は塗工液３００に浸漬している。塗工ローラ１２２が回転することにより、塗工ローラ１２２の周面の全体に塗工液３００の被膜が形成される。基材２００は、図２に示すように、塗工ローラ１２２とバックアップローラ１２３の間を通過して移送される。バックアップローラ１２３は塗工ローラ１２２を押圧する位置と、離反する位置とに移動と停止が可能なローラである。バックアップローラ１２３が押圧する位置においては、基材２００はバックアップローラ１２３によって塗工ローラ１２２に接触される。そして、塗工ローラ１２２の周面に被膜形成された塗工液３００は、接触により基材２００の表面に転移することとなり塗工が行なわれる。
【００１０】
基材２００に転移した塗工液３００の量すなわち湿潤膜厚は、塗工ローラ１２２の周面に被膜形成された塗工液３００の量によって変化する。したがって、塗工方式によって相違するが、何らかの方式によってその量を規制することが行なわれる。一般的に、塗工ローラ１２２の周面が塗工液槽１２１の塗工液３００から離れて基材２００の表面に接触し転移する前に、被膜形成された塗工液３００の中から余分な量の塗工液３００を掻き落とすことが行なわれる。その掻き落としには、塗工ローラ１２２との間に所定の間隙を置いた回転ローラやナイフエッジ等が使用される。また、塗工ローラ１２２がグラビアローラであればドクターブレードが使用される。
【００１１】
また、多くの場合、基材２００に形成された湿潤膜厚が乾燥したときの厚さ、すなわち乾燥膜厚が重要である。乾燥膜厚を重要視するときには、所定の乾燥膜厚を得るための管理の方法の１つとして湿潤膜厚が管理されることになる。当然ながら、その湿潤膜厚が一定であっても塗工液３００の組成が変化すると乾燥膜厚が変化する。塗工液３００の組成には、乾燥によって失われる揮発成分と乾燥によって失われない不揮発成分が存在する。揮発成分の主成分は溶剤であるから、塗工液３００における溶剤成分の比率を調整することによって乾燥膜厚を規制することも行なわれる。
なお、上述したように、一般的に湿潤膜厚は塗工直後の膜厚のことであるが、ここでは、湿潤膜厚は本発明において定義した数式により演算された膜厚とする。
【００１２】
張力測定部１１ａ，１１ｂ、厚さ測定部１２は、図１に示した張力・厚さ測定部１０の構成要素である。本発明の湿潤膜厚制御装置における張力・厚さ測定部１０の拡大図（図２におけるＡの拡大図）を図３に示す。図３において、１１４はガイドローラ、１１ｂは張力測定部、２００は基材、１２は厚さ測定部である。
ガイドローラ１１４は基材２００に加えられた張力を検出するためのガイドローラである。基材２００はガイドローラ１１４に巻き付いており、基材２００に張力が加えられるとガイドローラ１１４に力が加えられる。ガイドローラ１１４はその両側に存在する軸を軸受によって回転可能に支持されている。
【００１３】
張力測定部１１ｂは検出部（たとえば、ロードセル）と増幅部を有する。張力測定部１１ｂの検出部はガイドローラ１１４に加わる力をガイドローラ１１４の軸受の僅かな変位から検出する。張力測定部１１ｂの増幅部はその変位を張力に換算し、張力信号を出力する。変位の張力への換算においては、当然ながら、基材２００のガイドローラ１１４に対する巻き付け角度、変位の方向、等が考慮される。図３においては、張力測定部１１ｂ（の検出部）だけが図示されているが、ガイドローラ１１４の他方の軸受に設けられた張力測定部１１ａも存在する。基材２００の張力は、通常は、張力測定部１１ａと張力測定部１１ｂの両者で検出した張力の加算値である。
【００１４】
厚さ測定部１２は基材２００の厚さを測定する部位である。基材２００は弾性材料（たとえば、プラスチックフィルム）であり、張力の変化によって厚さが変化する。したがって、図３に示すように、厚さ測定部１２と張力測定部１１ａ，１１ｂとは接近した配置されており、厚さと張力とはほぼ同一箇所で同一時刻に測定が行なわれる。
厚さ測定部１２としては、たとえば、レーザー光線を照射して基材２００の表面に形成したレーザスポットの位置を検出し、三角測量の原理で距離を測定する方式の光学式変位計を使用することができる。この測定においては、基材２００の表面と背面（裏面）との位置の差異が基材２００の厚さとなる。そのため、基材２００の背面の位置が固定されている必要性がある。したがって、図３においては図示していないが、レーザスポットの位置の近辺はガイドローラに巻き付けることよって基材２００の背面の位置が固定されるように構成する。
【００１５】
本発明の湿潤膜厚制御装置の巻取部２０について詳細を図４〜図６に示す。図４〜図６において、２０１はサンプル、１２０は第１乾燥部、２１はサンプル巻取体、２２はミミ巻取体、２３は質量測定部、２４は直動モータ、２５はチャンバー、２６は切断部、２７ａ，２７ｂは切断刃、２８ａ，２８ｂは洗浄液槽、２９ａ，２９ｂは洗浄パッドである。また、図４〜図６において、図１、図２と同一部分には同一符号が付してある。
本発明の湿潤膜厚制御装置における基材２００からサンプリングを行なってサンプル巻取体２１を形成する構成部分の拡大図（図２におけるＢの拡大図）を図４に示す。図４に示すように、基材２００は第１乾燥部１２０をガイドローラに案内されながら走行する。第１乾燥部１２０には切断部２６が設けられており、その切断部２６において基材２００が走行方向に切断（スリット）されて、基材２００の一部であるサンプル２０１が切出される。
【００１６】
図４に示す一例においては、基材２００の一方の辺近くの２箇所においてスリットが行なわれる。そのスリットにより、基材２００は、スリット箇所の外側の基材２００の部分すなわちミミ２２ａと、中間の基材２００の部分すなわちサンプル２０１と、内側の基材２００の部分すなわち塗工製品となる部分との３つの分割される。ミミ２２ａは未塗工部分であるかまたは塗工量の不安定部分であるから湿潤膜厚の測定には使用できない。ミミ２２ａは巻き取られてミミ巻取体２２ｂを形成し廃棄される。サンプル２０１は塗工量の安定部分であるから湿潤膜厚の測定に使用することができる。サンプル２０１は巻取部２０において巻き取られサンプル巻取体２１を形成する。
【００１７】
本発明の湿潤膜厚制御装置における切断部２６の拡大図（図４におけるＣの拡大図）を図５に示す。図５において、２７ａ，２７ｂは切断刃、２８ａ，２８ｂは洗浄液槽、２９ａ，２９ｂは洗浄パッドである。
切断刃２７ａ，２７ｂは基材２００の一方の辺近くの２箇所においてスリットを行なうための切断刃である。図５に示す一例においては、切断刃２７ａ，２７ｂとして円盤の円周部分に刃が形成された丸刃が使用される。切断刃２７ａ，２７ｂは回転しながら基材２００の切断を行なう。回転する切断刃２７ａ，２７ｂにおける特定の刃の部位は、基材２００に接触し切断する切断位置と、洗浄層２８ａ，２８ｂに浸漬し洗浄される洗浄位置との間を周回する。
【００１８】
洗浄層２８ａ，２８ｂは切断刃２７ａ，２７ｂの刃先を洗浄するための洗浄層である。洗浄層２８ａ，２８ｂには洗浄液が満たされており、回転する切断刃２７ａ，２７ｂの刃先が洗浄位置に達したときには洗浄液に浸漬され洗浄が行なわれる。切断刃２７ａ，２７ｂの刃先には、主として、基材２００に形成された塗膜（湿潤膜）が付着する。したがって、洗浄液にはその塗膜を溶解する性質を有する洗浄液を使用することができる。塗工液３００の溶剤を使用することも可能であるが、乾燥部において使用することから、溶解性が低くても乾燥の遅い洗浄液を使用すると好適である。
洗浄パッド２９ａ，２９ｂは、洗浄層２８ａ，２８ｂに収納された洗浄パッドであり、洗浄液の化学的作用と摩擦による機械的作用によって、回転する切断刃２７ａ，２７ｂに付着する汚れを掻き落とす作用を有する。洗浄パッド２９ａ，２９ｂは、洗浄液を十分に吸収し保持する性質を有する。また、切断刃２７ａ，２７ｂの両側面に密着する適度な柔軟性を有し、すくなくとも切断刃２７ａ，２７ｂに対する密着面が摩擦性の粗面となっている。洗浄パッド２９ａ，２９ｂの材料としては、たとえば、スポンジ、布、不織布、綿、フェルト、等を使用することができる。
【００１９】
本発明の湿潤膜厚制御装置における巻取部２０の拡大図（図４におけるＤの拡大図）を図６に示す。図６において、２０は巻取部、２１はサンプル巻取体、２３は質量測定部、２４は直動モータである。
サンプル巻取体２１は、紙管にサンプル２０１を巻き取った巻取体である。巻取部２０の巻取軸には紙管を支持するためのチャッキング機構が設けられている。紙管はそのチャッキング機構によって巻取軸に固定される把持状態と、巻取軸に固定されていない開放状態のいずれかの状態をとることができる。チャッキング機構としては、たとえば、チャッキングコーンと呼ばれる円錐台形状の把持具を２つ使用し、錐台形状における直径の狭い面を向かい合わせた機構を適用することができる。２つのチャッキングコーンを近づけることによって、紙管の両側の内円部分に嵌め込んで紙管を把持する把持状態を得ることができる。チャッキングコーンは巻取軸とともに回転するから、把持状態において巻き取ることができる。反対に、２つのチャッキングコーンの距離を遠ざけると紙管の両側から離れて巻取軸から開放され開放状態を得ることができる。
【００２０】
巻取部２０の巻取軸はモータ等の回転機構（図示せず）により回転駆動される。そのとき、所定のトルクが巻取軸に掛けられる構造となっている。したがって、サンプル２０１には所定の張力が作用する状態で巻き取られることとなる。この張力は、通常は、塗工装置において基材２００に作用する張力とほぼ同一値となるように設定される。また、回転速度ではなくトルクが規定値となるように回転駆動されるから、サンプル２０１の供給速度（基材２００の走行速度）に同調した巻取軸の回転速度でサンプル２０１の巻き取りが行なわれる。
【００２１】
直動モータ２４は、巻取部２０に対して上方に引き上げる一定の力（引上力）を作用させることにより、巻取部２０の質量を見掛けにおいて一定量だけ軽減するための直動モータである。すなわち、ここで使用される直動モータ２４は移動や位置決めのためのモータではない。直動モータ２４としては、たとえば、直動（直進）のためのガイドレールとそのガイドレールに沿ってステージを直動する駆動機構と一定の力を発生させる制御機構によって構成することができる。直動モータ２４の代わりに、所定のエアー圧によって上方に引き上げる一定の力を作用させるエアーシリンダー機構、バネばかり（計り）のように吊り上げるためのバネ機構、等を使用してもよい。
【００２２】
質量測定部２３はサンプル巻取体２１の質量を測定する部分である。ただし、質量測定部２３には巻取部２０が載せられており、直接的に測定できるのはサンプル巻取体２１と巻取部２０とを合わせた全質量（全質量に作用する重力）から直動モータ２４が発生する一定の力（引上力を重力定数で除算して得る質量）を差し引いた質量である。そこで、直動モータ２４が発生する一定の力（引上力）は、巻取部２０の質量（巻取部２０に作用する重力）を相殺するように設定しておく。これにより、質量測定部２３の測定領域をサンプル巻取体２１の最大質量程度とすることができ、高い測定精度を得ることができる。
また、質量測定部２３はサンプル巻取体２１の紙管の質量を相殺するようにゼロ点の設定が行なわれている。
したがって、サンプル巻取体２１の紙管にサンプル２０１が全く巻き取られていない状態においては、質量測定部２３が出力する質量の測定値がゼロとなる。
【００２３】
演算部３０は、すでに説明したように、測定された基材２００の張力と厚さ（測定厚さ）に基づいて基材２００の真厚さを演算する。また、演算部３０は、その真の厚さ、全質量、その他のデータ（設定値、等）に基づいて湿潤膜厚を演算する。演算部３０としては、ＰＬＣ（Programable Logic Controller）パーソナコンピュータ、等のデータ処理装置を使用することができる。
【００２４】
基材２００の真の厚さの演算は演算部３０の真厚さ演算過程において、または真厚さ演算手段によって行われる。演算部３０は測定された基材２００の張力と測定厚さから基材２００の真の厚さである真厚さを（真厚さ）＝（測定厚さ）×（１＋（係数）×（張力））の数式を適用して演算する。（係数）は基材２００の品目によって異なる係数であり、値は実験によって決定することができる。（張力）が０のときには（真厚さ）＝（測定厚さ）である。（係数）は演算を実施する前に設定値として演算部３０に登録しておくデータである。
【００２５】
湿潤膜厚の演算は演算部３０の湿潤膜厚演算過程において、または湿潤膜厚演算手段によって行われる。演算部３０は設定値と測定値に基づいて湿潤膜厚を演算する演算部である。湿潤膜厚の演算において、演算部３０は、サンプル巻取体２１における湿潤膜厚を（湿潤膜厚）＝（（全質量）−（基材密度）×（真厚さ）×（所定幅）×（全長））／（（塗工液密度）×（所定幅）×（全長））の数式を適用して演算する。ここに、（全質量）は湿潤膜と基材部分を含むサンプル巻取体２１の質量、（基材密度）は基材２００の密度、（真厚さ）はサンプル巻取体２１の張力による変動を補正した厚さ、（所定幅）はサンプル巻取体２１の幅、（全長）はサンプル巻取体２１に巻き取られたサンプル２０１の全長、（塗工液密度）は塗工液３００の密度である。上記の数式において、（基材密度）×（真厚さ）×（所定幅）×（全長）の部分は（全質量）はサンプル巻取体２１の基材部分の質量に相当する。
【００２６】
なお、サンプル巻取体２１に巻き取られたサンプル２０１の（全長）は、スリットした後のサンプル２０１を紙管に巻き取る動作を開始した時点から測定を実行する時点までのサンプル２０１の走行距離に等しい。このサンプル２０１の走行距離は、紙管に巻き取る前に測長機器を使用して測定することができる。また、このサンプル２０１の走行距離は、その開始時点から測定時点までに塗工装置において測定された基材２００の走行距離に等しい。演算部３０はそのような走行距離を入力し、その入力したデータを上記演算において使用する。
また、（基材密度）、（所定幅）、（塗工液密度）は演算を実施する前に設定値として演算部３０に登録しておくデータである。
【００２７】
演算した湿潤膜厚が適合膜厚の範囲内であるか範囲外であるかの判定は演算部３０の判定過程において、または判定手段によって行われる。適合膜厚の範囲は判定を実施する前に設定値として演算部３０に登録しておくデータである。
演算部３０は演算した湿潤膜厚と適合膜厚の範囲内とを比較して、範囲内であるときには塗工条件を維持する信号を出力し、範囲外であるときには塗工条件を修正する信号、すなわち操作信号を出力する。修正する塗工条件としては、塗工液３００に含まれる溶剤成分比率、基材２００に転移する塗工液３００の量、等である。また、その溶剤成分比率、転移する塗工液３００の量が一定に維持されているときには、修正する塗工条件として第１乾燥部１３１の乾燥出力（温度、風量、等）である。
【００２８】
塗工条件の操作は操作過程において、または操作手段によって行われる。たとえば、修正する塗工条件が溶剤成分比率であるときには、塗工液槽１２１に溶剤を供給する溶剤供給手段（図示せず）の出力を操作する。すなわち、湿潤膜厚が適合膜厚の範囲内よりも大きいときには溶剤供給手段の出力を大きくし、湿潤膜厚が適合膜厚の範囲内よりも小さいときには溶剤供給手段の出力を小さくする。また、たとえば、修正する塗工条件が第１乾燥部１３１の乾燥出力であるときには、第１乾燥部１３１の出力を操作する。すなわち、湿潤膜厚が適合膜厚の範囲内よりも大きいときには第１乾燥部１３１の出力を大きくし、湿潤膜厚が適合膜厚の範囲内よりも小さいときには第１乾燥部１３１の出力を小さくする。
【００２９】
以上、構成について説明した。次に、本発明の湿潤膜厚制御方法および装置における動作について説明する。本発明の湿潤膜厚制御方法および装置における動作の過程をフロー図として図７に示す。
まず、図７のステップＳ１（設定値入力）において、湿潤膜厚制御装置のオペレータは湿潤膜厚制御装置に対して、すなわち演算部３０に対して、設定値として（基材密度）、（所定幅）、（塗工液密度）、（適合膜厚の範囲）を入力し登録する。この設定値の入力は湿潤膜厚測定における演算の前であれば何時であってもよい。
【００３０】
次に、ステップＳ２（張力測定）において、塗工を開始して塗工状態が安定したところでオペレータは湿潤膜厚測定の開始を湿潤膜厚制御装置に対して指示入力する。湿潤膜厚制御装置の演算部３０は張力測定部１１ａが出力する基材２００の張力を入力する。
次に、ステップＳ３（厚さ測定）において、湿潤膜厚制御装置の演算部３０は厚さ測定部１２が出力する基材２００の厚さを入力する。
次に、ステップＳ４（サンプリング）において、湿潤膜厚制御装置の巻取部２０はスリットにより切断分離したサンプル２０１を巻き取ってサンプル巻取体２１を形成する。このスリットは、張力・厚さ測定部１０から塗工部１２０を通過して、第１乾燥部１３１に到達した塗工済みの基材２００に対して切断部２６が行うスリットである。
次に、ステップＳ５（全長測定）において、湿潤膜厚制御装置の演算部３０はスリットした後のサンプル２０１を紙管に巻き取る動作を開始した時点、すなわちサンプル巻取体２１の形成を開始してから、測定を実行する時点までのサンプル２０１の走行距離を測長機器（図示せず）等から入力する。測長機器でなくても基材２０１の走行距離を塗工装置の制御部から入力してもよい。測定を実行する時点は、オペレータによる湿潤膜厚制御装置に対する測定の指示入力に基づいて行う。また、所定の走行距離、すなわちサンプル巻取体２１の全長が所定値となったときを測定を実行する時点とすることができる。この場合の所定の走行距離（所定の全長）は、ステップＳ１（設定値入力）において設定しておく。
【００３１】
次に、ステップＳ６（質量測定）において、湿潤膜厚制御装置の質量測定部２３はサンプル巻取体２１の質量を測定する。前述したように、巻取部２０の質量は直動モータ２４によって相殺され、紙管の質量は質量測定部２３のゼロ調整によって相殺されているから、質量測定部２３はサンプル巻取体２１の実際の質量を測定することができる。
【００３２】
次に、ステップＳ７（真膜厚演算）において、演算部３０は測定された基材２００の張力と測定厚さから基材２００の真の厚さである真厚さを（真厚さ）＝（測定厚さ）×（１＋（係数）×（張力））の数式を適用して演算する。
次に、ステップＳ８（湿潤膜厚演算）において、演算部３０は設定値と測定値に基づいて湿潤膜厚を演算する演算部である。湿潤膜厚の演算において、演算部３０は、サンプル巻取体２１における湿潤膜厚を（湿潤膜厚）＝（（全質量）−（基材密度）×（真厚さ）×（所定幅）×（全長））／（（塗工液密度）×（所定幅）×（全長））の数式を適用して演算する。
【００３３】
次に、ステップＳ９（膜厚適合？）において、演算部３０は演算した湿潤膜厚が適合膜厚の範囲内であるか範囲外であるかの判定を行う。判定が範囲内であるときにはステップＳ１１に進む。判定が範囲外のときにはステップＳ１０に進む。
次に、ステップＳ１０（塗工・乾燥条件操作）において、演算部３０は演算した湿潤膜厚と適合膜厚の範囲内とを比較して、範囲内であるときには塗工条件を維持する信号を出力し、範囲外であるときには塗工条件を修正する信号、すなわち操作信号を出力する。そして、操作過程において、または操作手段によって塗工条件の操作が行われる。この操作は湿潤膜厚が適合膜厚の範囲内となるように行われる。
次に、ステップＳ１１（測定終了？）において、演算部３０は測定を終了するか否かを判定する。オペレータによる測定終了指示の入力がなされる、測定を繰り返さない設定がなされている、等の場合には終了する。そうでないときにはステップＳ２に戻って上述した以降のステップを繰り返す。
【００３４】
なお、サンプル巻取体２１の形成は、測定の度に新しい紙管にサンプル２０１を巻き取って形成する必要性はない。前回の測定のサンプル２０１を紙管に残したままその上に今回の測定のサンプル２０１を重ね巻きしてもよい。その場合には今回の全質量は前回の全質量との差異となる。すなわち、（今回の全質量）＝（今回の質量の測定値）−（前回の全質量）の数式を適用して演算する。この方式は、測定を繰り返し行う場合において、好適である。
【図面の簡単な説明】
【００３５】
【図１】本発明の湿潤膜厚制御装置を適用した塗工装置の一例を示す図である。
【図２】本発明の湿潤膜厚制御装置の張力・厚さ測定部について詳細を示す図である。
【図３】本発明の湿潤膜厚制御装置における張力・厚さ測定部１０の拡大図（図２におけるＡの拡大図）である。
【図４】本発明の湿潤膜厚制御装置の巻取部２０について詳細を示す図である。
【図５】本発明の湿潤膜厚制御装置における切断部の拡大図（図４におけるＣの拡大図）である。
【図６】本発明の湿潤膜厚制御装置における巻取部２０の拡大図（図４におけるＤの拡大図）である。
【図７】本発明の湿潤膜厚制御方法および装置における動作の過程を示すフロー図である。
【符号の説明】
【００３６】
１０  張力・厚さ測定部
１１ａ，１１ｂ  張力測定部
１２  厚さ測定部
２０  巻取部
２１  サンプル巻取体
２２  ミミ巻取体
２３  質量測定部
２４  直動モータ
２５  チャンバー
２６  切断部
２７ａ，２７ｂ  切断刃
２８ａ，２８ｂ  洗浄液槽
２９ａ，２９ｂ  洗浄パッド
３０  演算部
１１４  ガイドローラ
１１ｂ  張力測定部
１２０  塗工部
１２１  塗工液槽
１２２  塗工ローラ
１２３  バックアップローラ
１３１  第１乾燥部
１３２  第２乾燥部
１３３  第３乾燥部
１４０  巻取部
２００  基材
２０１  サンプル
３００  塗工液
【図１】
0005119861.tif 000002
【図２】
0005119861.tif 000003
【図３】
0005119861.tif 000004
【図４】
0005119861.tif 000005
【図５】
0005119861.tif 000006
【図６】
0005119861.tif 000007
【図７】
0005119861.tif 000008